(57)【要約】【課題】屋根換気装置の構成部材をユニット化し工場生産化を可能にした温室の屋根換気装置の構築方法を提供する。【解決手段】頂部及び裾部のシート止め材を縦材とし、複数の桟材を横材とした梯子構造で成る二つのユニット枠をそれぞれ頂部においてヒンジ機構で連結して開き角を可変に構成された山形状等の換気枠単位体を温室の屋根の棟方向に配置し、換気枠単位体の支持材を温室の屋根部骨組みと結合して取り付ける。頂部のシート止め材に止着したプラスチックシートの端部を巻き軸へ巻き込み、巻き軸を回転駆動する手段を設置する。頂部のシート止め材と裾部のシート止め材の間に巻き軸を抑えるバンドを設置する。【選択図】図１
2004194593.tif 000002
【特許請求の範囲】
【請求項１】
回転駆動手段によりプラスチックシートの巻き軸を正逆方向に回転して換気枠の頂部のシート止め材と裾部のシート止め材との間を移動させ、その間の換気口を開閉する、温室の屋根換気装置の構築方法であって、
頂部及び裾部のシート止め材を縦材とし、その間に複数の桟材を横材として連結した梯子構造で成る等長の二つのユニット枠をそれぞれ頂部においてヒンジ機構で連結して開き角を可変に構成された三角形状又はアーチ形状の換気枠単位体を、温室の屋根の外面部の棟方向に配置し、該換気枠単位体の裾部に設けた支持材を温室の屋根部骨組みと結合して棟方向に長く均等断面のほぼ三角形状又はアーチ形状の山形状に取り付ける段階と、
前記換気枠の頂部の棟方向に長いシート止め材に止着したプラスチックシートの端部を、棟方向に長い巻き軸へ巻き込み、この巻き軸を回転駆動する手段を設置する段階と、
換気枠の頂部のシート止め材と裾部のシート止め材との間に、前記巻き軸を抑えるバンドを設置する段階と、
前記裾部のシート止め材に温室の屋根を覆うプラスチックシートの端部を止着し、また、前記三角形状又はアーチ形状の換気枠の棟方向の端面部を閉鎖する段階と、
からなることを特徴とする、温室の屋根換気装置の構築方法。
【請求項２】
換気枠単位体は、縦材の間に横材として複数の桟材を各々平行にピン連結した梯子構造で成る等長の二つのユニット枠を頂部のヒンジ機構を中心に重ね合わせる如くに閉じ、更に縦材とその間の複数の桟材を菱形状に折り畳んだ状態で現場へ搬入し、現場において二つのユニット枠を再び梯子状に展開し、所定の角度の山形状に開き、桟材の下端部近傍に棟方向に長い支持材を取り付け、前記支持材又は裾部の縦材を温室の屋根部骨組みと交差させ、その交点を連結具により結合して取り付けることを特徴とする、請求項１に記載した温室の屋根換気装置の構築方法。
【請求項３】
換気枠の頂部のシート止め材と裾部のシート止め材とに防虫ネットを止着して換気口を遮蔽することを特徴とする、請求項１又は２に記載した温室の屋根換気装置の構築方法。
【請求項４】
換気枠の頂部及び裾部の縦材は、結露受け部を有するシート止め材であることを特徴とする、請求項１〜３のいずれか一に記載した温室の屋根換気装置の構築方法。
【請求項５】
換気枠単位体を、温室の屋根の外面部の棟方向へ部分的に設置し、部分的な屋根換気装置を構築することを特徴とする、請求項１〜４のいずれか一に記載した温室の屋根換気装置の構築方法。
【発明の詳細な説明】
【０００１】
【発明の属する技術分野】
この発明は、新築の温室はもとより、既存の温室にも等しく適用可能な温室の屋根換気装置の構築方法の技術分野に属する。
【０００２】
【従来の技術】
従来、温室（プラスチックシートを被覆材とする温室、或いはガラスを使用したガラス温室など、以下同じ。）の室内空気を入れ換えて室温を適度に調節する手段として各種の換気装置が開発され、適材適所の考えに基づいて広く採用されている。
【０００３】
温室に換気開口を形成して自然換気を行うタイプの換気装置を大別すると、
ａ）温室の側面や裾部又は妻面に換気開口を形成して開閉する側窓タイプ、
ｂ）温室の谷部に換気開口を形成して開閉する谷換気タイプ、
ｃ）温室の屋根中央部（頂部）に換気開口を形成して開閉する天窓タイプ、
等々が広く知られ、これらは単独で又は併用型として実施されている。
【０００４】
空気の自然対流現象を考慮すれば、上記側窓タイプと天窓タイプを併用する方式が最も効率的であり、天窓タイプの開発が種々進められている。
例えば特許文献１には、温室の屋根頂部に補助室を形成し、同補助室の被覆シートを開閉可能に構成した屋根換気装置が開示されている。
【０００５】
特許文献２には、温室の屋根頂部に換気開口を形成すると共に、この換気開口をひさし状に張り出した屋根部分により雨が降り込まないようにカバーした自然換気ハウスが開示されている。
【０００６】
特許文献３には、屋根の頂部を段違い状に構成して、その段部を縦の換気開口に形成した温室が開示されている。
特許文献４には、屋根部の換気開口を開閉する巻き軸を押さえ付ける抑えバンドを設置した換気装置が開示されている。
【０００７】
【特許文献１】
実開昭５９−１４５４７号公報
【特許文献２】
実開昭６１−６９９５２号公報
【特許文献３】
特開２００２−２０９４５２号公報
【特許文献４】
実用新案登録第３０８２４８２号公報
【０００８】
【発明が解決しようとする課題】
しかしながら、上記した特許文献１〜４に記載された屋根換気装置の構築作業には、以下の問題がある。
【０００９】
（１）特許文献１に記載された温室の屋根換気装置となる補助室の構築作業は、主室の支柱（アーチパイプ材）の一本一本へ補助室の補助支柱を取り付ける組み立て作業を必要とする。この作業は、かなり面倒で手間がかかり、作業性に劣る欠点がある。
また、補助室の補助支柱と主室の支柱とが一体成形された支柱を使用して、上記した組み立て作業の手間を省いたとしても、このような一体成形された支柱は特殊加工材であるため費用が嵩んでしまう問題がある。
【００１０】
（２）上記特許文献２に記載された自然換気ハウスの屋根換気部位の構築作業は、天窓状の換気開口を覆うように張り出したひさし部分の骨組みを形成するバイアーチ材を、温室本体のアーチ材の全てに取り付ける作業を必要とする。そのため、やはり組み立て作業にかなりの手間がかかり、面倒で作業性に劣る欠点がある。しかも、ひさし部分は風圧を受け易く、強度、剛性の大きい構造にしないと温室が倒壊する恐れがある。
【００１１】
（３）上記特許文献３に記載された温室の屋根換気装置は、トラス構造の梁で構成される屋根の頂部に段差を設け、その段差に換気開口を設けた構成である。
従って、この屋根換気装置の構築には、当初から屋根の構造をそのように設計して製作することが必要であり、既存の温室への適用は至難であるし、多額の施工費用が掛かる欠点がある。
【００１２】
（４）上記特許文献４に記載された温室の換気装置は、温室の骨組みを構成する支柱部とアーチ部を軒樋を介して接合する、複雑で且つ特殊な構造のため、組み立てにかなりの手間がかかる欠点がある。しかも、特殊加工材を多用するために費用が嵩む問題がある。更に、既存の温室に適用できない欠点もある。
【００１３】
本発明の目的は、新築の温室はもとより、既存の温室へも等しく適用可能であり、しかも屋根換気装置の構成部材をユニット化し工場生産化を可能にしたので、現場作業を大幅に軽減でき、低コストで容易に実施できる、温室の屋根換気装置の構築方法を提供することにある。
【００１４】
【課題を解決するための手段】上記した従来技術の課題を解決するための手段として、請求項１に記載した発明に係る温室の屋根換気装置の構築方法は、
回転駆動手段によりプラスチックシートの巻き軸を正逆方向に回転して換気枠の頂部のシート止め材と裾部のシート止め材との間を移動させ、その間の換気口を開閉する、温室の屋根換気装置の構築方法であって、
頂部及び裾部のシート止め材を縦材とし、その間に複数の桟材を横材として連結した梯子構造で成る等長の二つのユニット枠をそれぞれ頂部においてヒンジ機構で連結して開き角を可変に構成された三角形状又はアーチ形状の換気枠単位体を、温室の屋根の外面部の棟方向に配置し、該換気枠単位体の裾部に設けた支持材を温室の屋根部骨組みと結合して棟方向に長く均等断面のほぼ三角形状又はアーチ形状の山形状に取り付ける段階と、
前記換気枠の頂部の棟方向に長いシート止め材に止着したプラスチックシートの端部を、棟方向に長い巻き軸へ巻き込み、この巻き軸を回転駆動する手段を設置する段階と、
換気枠の頂部のシート止め材と裾部のシート止め材との間に、前記巻き軸を抑えるバンドを設置する段階と、
前記裾部のシート止め材に温室の屋根を覆うプラスチックシートの端部を止着し、また、前記三角形状又はアーチ形状の換気枠の棟方向の端面部を閉鎖する段階とからなることを特徴とする。
【００１５】
請求項２記載の発明は、請求項１に記載した温室の屋根換気装置の構築方法において、
換気枠単位体は、縦材の間に横材として複数の桟材を各々平行にピン連結した梯子構造で成る等長の二つのユニット枠を頂部のヒンジ機構を中心に重ね合わせる如くに閉じ、更に縦材とその間の複数の桟材を菱形状に折り畳んだ状態で現場へ搬入し、現場において二つのユニット枠を再び梯子状に展開し、所定の角度の山形状に開き、桟材の下端部近傍に棟方向に長い支持材を取り付け、前記支持材又は裾部の縦材を温室の屋根部骨組みと交差させ、その交点を連結具により結合して取り付けることを特徴とする。
【００１６】
請求項３記載の発明は、請求項１又は２に記載した温室の屋根換気装置の構築方法において、
換気枠の頂部のシート止め材と裾部のシート止め材とに防虫ネットを止着して換気口を遮蔽することを特徴とする。
【００１７】
請求項４記載の発明は、請求項１〜３のいずれか一に記載した温室の屋根換気装置の構築方法において、
換気枠の頂部及び裾部の縦材は、結露受け部を有するシート止め材であることを特徴とする。
【００１８】
請求項５記載の発明は、請求項１〜４のいずれか一に記載した温室の屋根換気装置の構築方法において、
換気枠単位体を、温室の屋根の外面部の棟方向へ部分的に設置し、部分的な屋根換気装置を構築することを特徴とする。
【００１９】
【発明の実施形態】
以下に、先ず、請求項１〜４に記載した発明に係る温室の屋根換気装置の構築方法の実施形態を、図面に基づいて説明する。
【００２０】
本発明は、図１に完成状態の概略を示したとおり、地上から作業員がハンドル６で回転操作する回転駆動手段７によりプラスチックシート１５の巻き軸８を正逆方向に回転して、換気枠１の頂部及び裾部のシート止め材２ａ，２ｂの間を移動させ、その間の換気口９を開閉する温室の屋根換気装置１０を構築する方法である。
【００２１】
図２は、前記換気枠１を構成する換気枠単位体１ａとその使用態様の実施形態の概略を示している。
この換気枠単位体１ａは、図３からも明らかなように、頂部及び裾部のシート止め材２ａ，２ｂを縦材とし、その間に横材として複数の桟材２ｃ…を一定の間隔で平行に並べ、前記シート止め材２ａ，２ｂとそれぞれピン１８で連結した梯子構造の２つのユニット枠２，２から成り、２つのユニット枠２，２を山形状に組み、その頂部をヒンジ機構で連結して開き角θを可変に構成されている。具体的には、図３に示すようにアングルを使用した桟材２ｃの上端のウェブに設けられたボルト孔２０同士の位置を合わせ、ボルト３１とナット３３で連結してヒンジ機構が構成されている。
【００２２】
図３の場合、頂部及び裾部のシート止め材２ａ，２ｂとして、結露受け部１７を一連に有するタイプのものが、結露受け部１７を上向きとする態様で用いられ（請求項４記載の発明）、桟材２ｃとはピン１８で可動に連結し、もって図４Ａ，Ｂのような梯子形状のユニット枠２を、図４Ｃのように菱形状に小さく折り畳むことが可能に構成されている。シート止め材２ａ，２ｂの溝部１９には、プラスチックシート１５又は３０が、例えば図１に示すように弾力性の強い波形状の止め線２５で止着される。図３において、手前側のユニット枠２の頂部の縦材には、結露受け部１７を有さないタイプのシート止め材２ａ’が使用されている。
【００２３】
桟材２ｃには、図３に示すように、そのウェブの下端部付近にパイプ孔２１が設けられ、前記パイプ孔２１へ支持パイプ５が通されて裾部のシート止め材２ｂと平行に取り付けられている。
前記支持パイプ５は、図２に示すように温室の屋根へ換気枠単位体１ａを持ち上げた後に、図３に示すように、温室の屋根部骨組みであるアーチ材１２と交差させ、その交点をくさび１１ａを打ち込む形式の連結具１１で強く結合して取り付けられる。前記くさび式の連結具１１は、市販品として広く実用されている。
【００２４】
次に、構築方法の手順について説明する。
ユニット枠２及び換気枠単位体１ａは工場で大量生産し、図４Ｃに示したように、二つのユニット枠２，２を菱形状に小さく折り畳んだ梱包状態で、工場又は販売店から、その他の付属品とセットで出荷し、現場等へ搬入される。現場では、前記換気枠単位体１ａのユニット枠２，２を、温室のサイト又は屋根の上で図４Ｂに示したように梯子状に展開し、続いて、図４Ａに示したように所定の開き角θ、好ましくは６０〜９０°の山形状に開く。しかる後、図３に示すように、各桟材２ｃのパイプ孔２１へ温室の棟方向に長い支持パイプ５を取り付け、温室の屋根の外面部の棟方向へ順に必要数配置する。そして、図３に示したように、前記支持パイプ５を温室のアーチ材１２と交差させ、その交点を上記くさび式の連結具１１により強固に結合して取り付ける（以上請求項２記載の発明）。
【００２５】
棟方向に連なる換気枠単位体１ａ，１ａ同士の連結は、一例を図５に示したように、シート止め材２ａ，２ｂ及び２ａ’同士、並びに支持パイプ５同士を各々の端部を突き合わせて接合する。具体的には、結露受け部１７を有するシート止め材２ａ，２ｂ同士の連結には、市販品として実用されている専用のジョイント７０を用い、該ジョイント７０の両端から前記シート止め材２ａ，２ｂを夫々差し込んで突き合わせ接合する。このジョイント７０には、結露受け部１７で受け止めた結露水を排除する排水溝７１が設けられており、排水溝７１を流れ落ちる結露水は、ホース８０を通じて地面等へ排水される。前記ジョイント７０は市販品であり、広く実用されている。結露受けを有さないシート止め材２ａ’は、例えば実公平６−２３２５４号公報に記載されているように、小径に絞り加工した雄側の端部を雌側の溝部１９へ差し込むジョイント方式で接合される。支持パイプ５も同様に、先端を小径に絞り加工された雄側端部を他の中空部へ差し込むジョイント方式で接合される。
【００２６】
上記のようにして温室の屋根部へ換気枠単位体１ａの取付を完了した後、図１に示すように、屋根を覆うプラスチックシート３０の上端を、前記裾部のシート止め材２ｂ及び頂部のシート止め材２ａへ前記波形状の止め材２５を用いて止着する。但し、換気口９を覆い塞ぐプラスチックシート１５は、その一端を換気枠１の頂部のシート止め材２ａの溝１９に前記止め線２５を用いて止着し、他方の端部は、棟方向に長い巻き軸８へ巻き込む。そして、当該巻き軸８を回転駆動させる回転駆動手段７を設置する。この回転駆動手段７は、例えば特許第２８４７６１８号公報に記載されている通り、入力軸によってのみ出力軸を回転できる構成であり、その出力軸を前記巻き軸８と連結し、入力軸に連結したクランク状のハンドル６を正逆に任意の角度に回転して止めることができる。
【００２７】
図６に示したように巻き軸８がプラスチックシート１５を巻き込みながら頂部のシート止め材２ａの位置まで上昇すると、換気口９は全開となる。逆に、プラスチックシート１５を巻き戻しつつ巻き軸８を下降させて、裾部のシート止め材２ｂの位置に到達すると、換気口９は全閉状態となる。
因みに、図７は山形状をなす換気枠１の両面に換気口９を設けた実施例を示している。
【００２８】
なお、換気口９のプラスチックシート１５を止着する以前に、予め換気枠１の頂部のシート止め材２ａと裾部のシート止め材２ｂとの間に、防虫ネットを止め線２５を用いて張り、換気口９を遮蔽することが好ましい（請求項３記載の発明）。換気口９の全開時に、換気口９から農作物に害をもたらす害虫又は害鳥が進入することを防止するためである。
【００２９】
図１に示したように、換気枠１の頂部のシート止め材２ａと裾部のシート止め材２ｂとの間には、帯状の押さえバンド１３を適度に強い張力で止着し、もって前記巻き軸８による換気口９の開閉動作の安定性を確保する。
当然のことながら、三角形状の換気枠１の棟方向の端面部は、最終的にプラスチックシート３１により閉鎖する。
【００３０】
次に、図８は、請求項５に記載した発明に係る温室の屋根換気装置の構築方法の実施形態を示している。要するに、本発明に係る温室の屋根換気装置の構築方法は、必ずしも屋根換気装置１０を温室の棟方向の全長へ一連に構築する実施例に限定されない。換気枠単位体１ａを温室の屋根の外面部の棟方向の必要な部分にのみ設置して屋根換気装置１０の作用効果を達成することができる（請求項５の発明）。その構築方法としては、上記した図１〜７に示した実施形態と換気枠１の数量以外に異なることはない。
【００３１】
図９は、連棟の温室に屋根換気装置１０を構築した実施形態を示している。
図１０は、本発明に係る構築方法を、合掌型温室の屋根換気装置１０の構築に適用した実施形態を示している。この場合、換気枠１と合掌型温室の屋根部骨組みであるシート止め材１４との連結手段は、図１１に示したように、くさび１６ａを打ち込む形式の連結具１６で温室の屋根のシート止め材１４と支持パイプ５とを連結して実施される。このくさび式連結具１６も、市販品として広く実用されている。
【００３２】
次に、図１２は、桟材２ｃの下端部付近の支持パイプ５の取付構造について、異なる実施形態を示している。この図１２に示した桟材２ｆは、図３に示したアングルから成る桟材２ｃの先端部におけるウエブを部分的に切除し、平板状に形成したフランジ部分をフック状に曲げ、締め付けボルト５０とナット５１により支持パイプ５を支持した構成である。
【００３３】
更に図１３Ａ，Ｂは、桟材２ｅの下端部付近に支持パイプ５を取り付ける代わりに、公知の蝶番７０を用いてシート止め材２ｄを接合し、このシート止め材２ｄを、くさび２２ａを打ち込む形式の連結具２２により温室屋根のアーチ材１２と、連結する実施形態を示している。このくさび式連結具２２も市販品として広く実用されている。
更に、図１４に模式的に示したように、換気枠の桟材を両外側へ湾曲させて屋根換気装置の横断面をアーチ形状としたものについても同様に実施可能である。
【００３４】
以上に説明した通り、本発明に係る温室の屋根換気装置の構築方法によれば、工場で予め半完成品に組み立てられたユニット状の換気枠単位体１ａを用いて換気枠１を組み立てることにより屋根換気装置１０を構築するので、従来技術の如く温室のアーチ材（支柱）の一本一本に対して骨材を取り付けて組み立てる方法に比べて、プレハブ化が進み、現場での施工性に優れ、構築作業を大幅に軽減できる。
【００３５】
また、屋根換気装置の構成部材をユニット化し工場生産化を可能にしたので低コストで実施できる。
更に、新築の温室はもとより、既に設置された供用中の既存温室に対しても、比較的自由なレイアウトで容易に屋根換気装置を構築することができる。
【００３６】
【本発明の奏する効果】
請求項１〜６に記載した発明に係る温室の屋根換気装置の構築方法によれば、新築の温室はもとより、既存の温室へも等しく適用可能であり、しかも屋根換気装置の構成部材をユニット化し工場生産化を可能にしたので、現場作業を大幅に軽減でき、低コストで容易に実施できる。
また、既に設置された供用中の既存温室に対して、比較的自由なレイアウトで容易に屋根換気装置を構築することができる。
【図面の簡単な説明】
【図１】本発明により構築された温室の屋根換気装置の完成状態の概略を示した斜視図である。
【図２】本発明の実施に用いる換気枠単位体の概略を示した斜視図である。
【図３】本発明の実施に用いる換気枠単位体の構造の概略を示した分解斜視図である。
【図４】Ａ〜Ｃは、換気枠単位体の折り畳み手順を概念的に示した説明図である。
【図５】換気枠単位体同士の連結を模式的に示した説明図である。
【図６】屋根換気装置の換気口の開閉機構を模式的に示した説明図ある。
【図７】換気口を両面に有する屋根換気装置における換気口の開閉機構を模式的に示した説明図ある。
【図８】部分的に屋根換気装置を構築した実施形態の一例を示した説明図である。
【図９】連棟の温室に屋根換気装置を構築した実施形態の一例を示した説明図である。
【図１０】本発明に係る構築方法を用いて合掌型温室に屋根換気装置を構築した実施形態の一例を示した説明図である。
【図１１】換気枠と合掌型温室の屋根部骨組みとの連結に使用される連結具の一例を示した説明図である。
【図１２】桟材の下端部の構造の一例を示した説明図である。
【図１３】Ａは、換気枠単位体の異なる実施形態を示した斜視図である。Ｂは、Ａに示した実施形態の側面図である。
【図１４】湾曲した桟材から成る換気枠単位体を用いて屋根換気装置の断面をアーチ形状とした実施例を示した説明図である。
【符号の説明】
１    換気枠
１ａ    換気枠単位体
２    ユニット枠
５    支持材（支持パイプ）
９    換気口
７    回転駆動手段
８    巻き軸
１０    屋根換気装置
１３    バンド
１７    結露受け部
１２、１４    屋根部骨組み
１５、３０    プラスチックシート
２ａ、２ａ’、２ｂ  シート止め材
２ｃ、２ｅ、２ｆ    桟材
１１，１６、２２    連結具
【図１】
2004194593.tif 000003
【図２】
2004194593.tif 000004
【図３】
2004194593.tif 000005
【図４】
2004194593.tif 000006
【図５】
2004194593.tif 000007
【図６】
2004194593.tif 000008
【図７】
2004194593.tif 000009
【図８】
2004194593.tif 000010
【図９】
2004194593.tif 000011
【図１０】
2004194593.tif 000012
【図１１】
2004194593.tif 000013
【図１２】
2004194593.tif 000014
【図１３】
2004194593.tif 000015
【図１４】
2004194593.tif 000016